(57)【要約】【課題】風切り音の発生を最小限に抑えながら、凝縮水の捕集効果をあげる。【解決手段】空気Ａの流れ方向に沿って多数の冷媒流通用孔３１を配列してなる扁平多孔チューブ３０と、該扁平多孔チューブ３０の間に配したフィン４０とを備えたエバポレータ２０において、扁平多孔チューブ３０の空気の流れ方向下流端に位置する冷媒流通用孔３１Ｅよりも上流側の位置に、扁平多孔チューブ３０の外側面を構成する平面壁３２を凹ませることで形成した凝縮水排水通路３４を設けると共に、空気の流れ方向下流端に位置する冷媒流通用孔３１Ｅを画成する周壁のうち、前記平面壁３２の一部をなす側壁から空気の流れ方向下流側に位置する端壁にかけての部分を、空気の流れ方向に沿って湾曲した円弧状壁３７として構成した。【選択図】図１
2005069529.tif 000002
【特許請求の範囲】
【請求項１】
空気（Ａ）の流れ方向に沿って多数の冷媒流通用孔（３１）を配列してなる扁平多孔チューブ（３０）と、該扁平多孔チューブ（３０）の間に配したフィン（４０）とを備えたエバポレータにおいて、
前記扁平多孔チューブ（３０）の空気（Ａ）の流れ方向下流端に位置する前記冷媒流通用孔（３１Ｅ）よりも上流側の位置に、前記扁平多孔チューブ（３０）の外側面を構成する平面壁（３２）を凹ませることで形成した凝縮水排水通路（３４）を設けると共に、前記空気（Ａ）の流れ方向下流端に位置する前記冷媒流通用孔（３１Ｅ）を画成する周壁のうち、前記平面壁（３２）の一部をなす側壁から空気の流れ方向下流側に位置する端壁にかけての部分を、空気（Ａ）の流れ方向に沿って湾曲した円弧状壁（３７）として構成したことを特徴とするエバポレータ（２０）。
【請求項２】
請求項１に記載のエバポレータであって、
前記扁平多孔チューブ（３０）が、押出扁平多孔管よりなることを特徴とするエバポレータ（２０）。
【請求項３】
請求項１または２に記載のエバポレータであって、
直線形状のまま各長さを揃えた前記扁平多孔チューブ（３０）を多数、前記外側面を構成する平面壁（３２）を隣りのチューブ（３０）の平面壁（３２）と対向させつつ互いに平行に平面状に配列し、これら扁平多孔チューブ（３０）の各一端及び各他端をそれぞれヘッダタンク（２２、２３）に接続して、各扁平多孔チューブ（３０）に並列に冷媒を流通させるようにしたことを特徴とするエバポレータ（２０）。
【発明の詳細な説明】
【技術分野】
【０００１】
本発明は、車両用空調装置等に用いられるエバポレータに係り、特に、凝縮水の排水機能を備えたエバポレータに関する。
【背景技術】
【０００２】
車両用空調装置の冷却サイクルに組み込まれるエバポレータは、通常、冷媒通路用孔を有するチューブと、チューブの間に配されたフィンとを有した構造をなしている。このエバポレータにおいて、チューブ内に冷媒を流すと、冷媒はチューブの壁を通して外を流れる空気と熱交換し、チューブから出ていく。この際、空気中に含まれている水分は、チューブやフィンの外表面において凝縮し、水滴となって風圧によりエバポレータの空気出側端部に流れて行く。空気出側端部に流れて行った水滴は、特に風圧が強い場合、エバポレータの下流端において吹き飛ばされることで、エバポレータの下流側に飛び散るおそれがある。
【０００３】
そこで、それを防止するために、図３に示すように、冷媒流通用孔１１を有する扁平多孔チューブ１と、チューブ１間に配したフィン２よりなるエバポレータ１０の空気出側端部に、空気Ａの流れに突出するフランジ１２を形成することで、フランジ１２とチューブ１の空気出側端部１Ｅとの間に水滴案内溝１３を設け、この水滴案内溝１３に、チューブ１やフィン２の外表面で凝縮した水滴Ｗを集めるようにしたものがある（例えば、特許文献１参照）
【特許文献１】実開昭５６−１５３７６６号公報（図６）
【発明の開示】
【発明が解決しようとする課題】
【０００４】
ところが、図３に示した構成のエバポレータ１０においては、空気Ａの流れ方向の下流端に、空気Ａの流れに突出する形のフランジ１２があるため、フランジ１２のエッジ１２Ｅを空気が通過するときに風切り音（異音）が発生しやすいという問題があった。
【０００５】
本発明は、上記事情を考慮してなされたもので、風切り音の発生を最小限に抑えながら、凝縮水の捕集効果をあげることのできるエバポレータを提供することを目的とする。
【課題を解決するための手段】
【０００６】
請求項１の発明は、空気の流れ方向に沿って多数の冷媒流通用孔を配列してなる扁平多孔チューブと、該扁平多孔チューブの間に配したフィンとを備えたエバポレータにおいて、前記扁平多孔チューブの空気の流れ方向下流端に位置する前記冷媒流通用孔よりも上流側の位置に、前記扁平多孔チューブの外側面を構成する平面壁を凹ませることで形成した凝縮水排水通路を設けると共に、前記空気の流れ方向下流端に位置する前記冷媒流通用孔を画成する周壁のうち、前記平面壁の一部をなす側壁から空気の流れ方向下流側に位置する端壁にかけての部分を、空気の流れ方向に沿って湾曲した円弧状壁として構成したことを特徴とする。
【０００７】
請求項２の発明は、請求項１記載のエバポレータであって、前記扁平多孔チューブが、押出扁平多孔管よりなることを特徴とする。
【０００８】
請求項３の発明は、請求項１または２に記載のエバポレータであって、直線形状のまま各長さを揃えた前記扁平多孔チューブを多数、前記外側面を構成する平面壁を隣りのチューブの平面壁と対向させつつ互いに平行に平面状に配列し、これら扁平多孔チューブの各一端及び各他端をそれぞれヘッダタンクに接続して、各扁平多孔チューブに並列に冷媒を流通させるようにしたことを特徴とする。
【発明の効果】
【０００９】
請求項１の発明のエバポレータによれば、扁平多孔チューブの空気の流れ方向下流端に位置する冷媒流通用孔よりも上流側の位置に凝縮水排水通路を設けたので、風圧によってチューブの外表面上を流れる凝縮水を、下流端の手前の凝縮水排水通路に集めた上で、エバポレータ外に流すことができる。従って、風圧によってエバポレータから水滴が飛び散るのを防ぐことができる。また、前記の凝縮水排水通路は、扁平多孔チューブの外側面を構成する平面壁を凹ませることによって形成してあるので、排水通路を構成する部材を別に設ける必要がない。しかも、空気の流れ方向下流端に位置する冷媒流通用孔を画成する周壁のうち、扁平多孔チューブの外側面を構成する平面壁の一部をなす側壁から、空気の流れ方向下流側に位置する端壁にかけての部分を、空気の流れ方向に沿って湾曲した円弧状壁として構成してあるので、エバポレータの空気の流れ方向下流端に、フランジを設けた場合のようなエッジが存在しなくなり、エッジによる風切り音のような異音が発生しなくなる。
【００１０】
請求項２の発明によれば、扁平多孔チューブを押出扁平多孔管により構成したので、成形用の型に凝縮水排水通路を形成するための部分（凸部）を予め設けておくだけで、凝縮水排水通路を有する扁平多孔チューブを簡単に製造することができ、エバポレータの製造コストの低減を図ることができる。
【００１１】
請求項３の発明によれば、扁平多孔チューブに並列に冷媒を流通させるので、全冷媒流通用孔に冷媒を等しく分流させることができ、エバポレータの空気流通面の全域にわたって均一な冷却性能を発揮することができる。
【発明を実施するための最良の形態】
【００１２】
以下、本発明の実施形態を図面を参照しながら説明する。
【００１３】
図１は実施形態のエバポレータの構成を示す図で、（ａ）は全体の外観構成を示す斜視図、（ｂ）は（ａ）図のＩｂ−Ｉｂ矢視断面図、図２の（ａ）は図１（ａ）のＩＩａ−ＩＩａ断面図、（ｂ）は図１（ａ）のＩＩｂ−ＩＩｂ断面図である。
【００１４】
このエバポレータ２０は、図１（ａ）に示すように全体が板状体として構成され、ほぼ立てた姿勢で使用されるものであり、板厚方向に空気Ａの通り抜けが可能な平板状のコア部２１と、そのコア部２１の上端及び下端に配置されたヘッダタンク２２、２３とからなる。各ヘッダタンク２２、２３の内部には冷媒通路２２Ｒ、２３Ｒが形成されており、各ヘッダタンク２２、２３の長手方向の一端には、冷媒通路２２Ｒ、２３Ｒに対して外部配管を接続するための接続部２５、２６が設けられている。そして、上端のヘッダタンク２２の接続部２５から矢印Ｂのように冷媒をエバポレータ２０に流入させ、下端のヘッダタンク２３の接続部２６から矢印Ｂのように冷媒を外部に排出するようになっている。
【００１５】
エバポレータ２０の通風面を構成するコア部２１は、アルミニウムの押出扁平多孔管よりなる多数の扁平多孔チューブ３０と、チューブ３０間に配設した切起こし片４１付きのコルゲート状のフィン４０と、から構成されている。扁平多孔チューブ３０は、長手方向を上下方向に向けて、互いに平行に所定間隔をおいて配列されており、隣接する扁平多孔チューブ３０の間にフィン４０がろう付けされている。フィン４０は、互いに隣接する扁平多孔チューブ３０間で傾斜しており、フィン４０の外表面に付着した水滴Ｗは、いずれかの扁平多孔チューブ３０に徐々に寄って行くようになっている。
【００１６】
扁平多孔チューブ３０は、押出成形品であるから、一定の断面形状をなしており、空気Ａの流れ方向に沿って一列に配列された多数の冷媒流通用孔３１を有している。この場合の扁平多孔チューブ３０は、両外側面を互いに間隔をおいて配した所定幅の平面壁３２で構成し、これら両平面壁３２の間に該平面壁３２の幅方向（空気Ａの流れ方向）に並んだ複数の仕切壁３３を間隔的に設けることで、平面壁３２の間に仕切壁３３で画成された多数の冷媒流通用孔３１を形成した断面形状をなしている。
【００１７】
また、各扁平多孔チューブ３０は、空気の流れ方向下流端に位置する冷媒流通用孔３１Ｅよりも上流側の位置に、即ち本例の場合、下流端の冷媒流通用孔３１Ｅの隣りの位置に、扁平多孔チューブ３０の外側面を構成する平面壁３２を凹ませることで形成した凝縮水排水通路３４を備えている。つまり、１段分の冷媒流通用孔３１を潰し、その部分を一枚の連結板３５で置き換えることで、凝縮水排水通路３４を構成する凹所を確保している。
【００１８】
また、下流端に位置する冷媒流通用孔３１Ｅを画成する周壁のうち、平面壁３２の一部をなす側壁から空気の流れ方向下流側に位置する端壁にかけての部分を、空気の流れ方向に沿って湾曲した円弧状壁（Ｒ壁）３７として構成している。
【００１９】
エバポレータ２０のコア部２１は、このような断面形状の扁平多孔チューブ３０を多数使用することにより構成されている。即ち、扁平多孔チューブ３０は、直線形状のままに各長さを揃えて、外側面を構成する平面壁３２を隣りのチューブ３０の平面壁３２と対向させつつ互いに平行にして、全体として平面を構成するように配列されており、隣接する扁平多孔チューブ３０の両平面壁３２に、波形にプレス成形されたフィン４０の各頂点がろう付けされている。そして、これにより、扁平多孔チューブ３０間をフィン４０に接しながら空気Ａが通り抜けることのできるコア部２１が構成されている。
【００２０】
また、エバポレータ２０は、このような構成のコア部２１の扁平多孔チューブ３０の各上端及び各下端を、それぞれヘッダタンク２２、２３に接続することにより構成されている。
【００２１】
図２は、上端側のヘッダタンク２２と扁平多孔チューブ３０の上端との接続構造を示している。図２（ａ）、（ｂ）に示すように、ヘッダタンク２２は、内部に冷媒通路２２Ｒを確保するように組み合わせられたヘッダカバー５１と該ヘッダカバー５１の開口面を覆うプレート５２とからなり、プレート５２に形成した開口５３に扁平多孔チューブ３０の上端を挿入した状態で、プレート５２と扁平多孔チューブ３０をろう付けし、そのプレート５２の上にヘッダカバー５１を被せて固定することにより構成されると共に、ヘッダタンク２２とコア部２１とが接合されている。この構成は、下端のヘッダタンク２３側についても同様である。
【００２２】
次に作用を説明する。
【００２３】
このエバポレータ２０においては、扁平多孔チューブ３０の空気Ａの流れ方向下流端に位置する冷媒流通用孔３１Ｅよりも上流側の位置に凝縮水排水通路３４を設けているので、風圧によってチューブ３０の外表面上を流れる凝縮水Ｗを、下流端の手前の凝縮水排水通路３４に集めた上で、エバポレータ２０外に排水することができる。従って、風圧によってエバポレータ２０から水滴が飛び散るのを防ぐことができる。
【００２４】
また、その凝縮水排水通路３４を、扁平多孔チューブ３０の外側面を構成する平面壁３２を凹ませることによって形成してあるので、排水通路３４を構成する部材を別に設ける必要がない。
【００２５】
しかも、空気の流れ方向下流端に位置する冷媒流通用孔３１Ｅを画成する周壁のうち、扁平多孔チューブ３０の外側面を構成する平面壁３２の一部をなす側壁から空気の流れ方向下流側に位置する端壁にかけての部分を、空気の流れ方向に沿って湾曲した円弧状壁３７として構成してあるので、エバポレータ２０の空気の流れ方向下流端に、フランジを設けた場合のようなエッジが存在しなくなり、エッジによる風切り音のような異音が発生しなくなる。
【００２６】
また、このエバポレータ２０においては、扁平多孔チューブ３０を押出扁平多孔管により構成しているので、成形用の型に凝縮水排水通路３４を形成するための部分（凸部）を予め設けておくだけで、凝縮水排水通路３４を有する扁平多孔チューブ３０を簡単に製造することができる。従って、エバポレータ２０の製造コストの低減にも寄与することができる。
【００２７】
また、このエバポレータ２０は、ヘッダタンク２２及びヘッダタンク２３を使用して、扁平多孔チューブ３０に並列に冷媒を流通させるタイプであるから、全冷媒流通用孔３１に冷媒を等しく分流させることができ、エバポレータ２０の空気流通面の全域にわたって均一な冷却性能を発揮することができる。
【００２８】
なお、上記実施形態においては、凝縮水排水通路３４を最下流端の冷媒流通用孔３１の直前（１段手前の位置）に設けた場合を示したが、２段以上手前の位置に設けてもよい。但し、凝縮水排水通路３４よりも下流側で凝縮水が発生しても意味がないので、あまり上流側の位置に配置するのは好ましくない。
【００２９】
また、上記実施形態のエバポレータは複数多段のチューブの両端にヘッダタンを連通接続したタイプであったが、サーペンタイン型（チューブを蛇行状に曲げ、フィンを挟んで成形し、扁平多孔管内を１パスで冷媒が流れるようにしたもの）のエバポレータにも本発明は適用することができる。
【図面の簡単な説明】
【００３０】
【図１】本発明の実施形態の構成図で、（ａ）は全体外観を示す斜視図、（ｂ）は（ａ）のＩｂ−Ｉｂ矢視断面図である。
【図２】本発明の実施形態の一部の構成図で、（ａ）は図１（ａ）のＩＩａ−ＩＩａ断面図、（ｂ）は図１（ａ）のＩＩｂ−ＩＩｂ断面図である。
【図３】従来のエバポレータの要部構成を示す斜視図である。
【符号の説明】
【００３１】
２０  エバポレータ
２１  コア部
２２  ヘッダタンク
２３  ヘッダタンク
３０  扁平多孔チューブ
３１  冷媒流通用孔
３１Ｅ  下流端の冷媒流通用孔
３２  平面壁
３４  凝縮水排水通路
３６  円弧状壁
Ａ  空気
Ｗ  水滴
【図１】
2005069529.tif 000003
【図２】
2005069529.tif 000004
【図３】
2005069529.tif 000005